(57)【特許請求の範囲】
【請求項１】
テープ状の記憶媒体において、メインデータごとに、該メインデータを第１の記憶領域に記憶すると共に、該メインデータに対応する補助情報を、該第１の記憶媒体とは異なる第２の記憶領域に記憶するディジタル信号記憶方法であって、
上記第２の記憶領域は、上記メインデータごとに上記第１の記憶領域の後に配置されており、
上記第２の記憶領域よりも前に配置されている全ての上記第１の記憶領域にそれぞれ個別に記憶されている上記メインデータに対応する各補助情報の全てを、上記第２の記憶領域に記憶することを特徴とするディジタル信号記憶方法。
【請求項２】
上記第２の記憶領域ごとに、該第２の記憶領域に記憶された補助情報を、該第２の記憶領域の直前に配置されている他の第２の記憶領域に記憶しながら、上記記憶媒体を巻き戻すことを特徴とする、請求項１に記載のディジタル信号記憶方法。
【請求項３】
上記記憶媒体は、上記メインデータごとの上記第１の記憶領域の前に配置された第３の記憶領域を備え、
上記第３の記憶領域よりも後に配置されている全ての上記第１の記憶領域にそれぞれ個別に記憶されている上記メインデータに対応する各補助情報の全てを、上記第３の記憶領域に記憶しながら、上記記憶媒体を巻き戻すことを特徴とする、請求項１に記載のディジタル信号記憶方法。
【請求項４】
請求項１乃至請求項３のいずれかに記載のディジタル信号記憶方法において、メインデータの補助情報に記憶した日時情報を入れ、上書きして録画する場合に補助情報の更新を行なう際の判断に用いることを特徴とするディジタル信号記憶方法。
【請求項５】
請求項１に記載のディジタル信号記憶方法において、新規のメインデータが記憶された際に、各補助情報を更新するために、補助情報更新フラグを記憶媒体或いは補助情報記憶手段に設け、記憶媒体にテープ上の記憶媒体を用いる場合には、早送り、巻き戻し、再生或いは更新を目的とした動作等をした際に、各補助情報を更新することを特徴としたことを特徴とするディジタル信号記憶方法。
【発明の詳細な説明】
【０００１】
【発明の属する技術分野】
本発明はディジタル信号記憶方法及び記憶装置に係り、特に記憶媒体に主情報である映像信号と共に当該映像信号の記憶に関する補助的な情報を記憶するディジタル信号記憶方法及び記憶装置に関する。
【０００２】
【従来の技術】
映像信号をディジタル信号で記憶する際に、映像信号のメインデータと共に当該映像信号の記憶に関する補助的な情報を記憶する際のディジタル信号記憶方法及び記憶装置に関し、以下のような従来例がある。
【０００３】
特開平１０−７９１７５号公報によれば、映像信号をデータブロック単位で磁気テープに記憶すると共に、映像信号の補助情報を  データブロックよりも短い固定長のパック単位で磁気テープに記憶する際に、エンコーダは各映像信号を磁気テープへの記憶毎に、当該映像信号の補助情報を一旦この  記憶媒体の識別情報に関連付けてメモリに記憶しておく。その後にエンコーダは同一の磁気テープの識別情報をもつ映像信号の補助情報をメモリからまとめて読み出し、この読み出した補助情報をパックの形式で  その識別情報をもつ磁気テープのサブコード領域などに記憶する技術が記載されている。
【０００４】
【発明が解決しようとする課題】
しかしながら、上述の装置のように、記憶媒体の識別情報に関連付けて補助情報を管理するのでは、ユーザが記憶媒体の識別情報を管理しなければならない。また、補助情報のデータが大きな場合、例えば補助情報に記憶した映像信号の一部の１フレームの静止画を含む場合には、予め、大きな容量のメモリを搭載しておかないと、多数の記憶媒体を同時に管理することは困難であるという問題を有している。
【０００５】
本発明は、そのような状況に鑑みてなされたもので、ユーザが記憶媒体の識別情報を管理すること無く、比較的大きな容量の補助情報のデータを記憶することができるようにするものである。
【０００６】
【課題を解決するための手段】
本発明はこうした課題を解決するための手段を提供するもので、各請求項の発明は、以下の技術手段を構成する。上記目的を達成するために、本発明による請求項１記載のディジタル信号記憶方法は、主情報であるメインデータをデータブロック単位で記憶媒体に記憶すると共に、前記メインデータの補助情報を前記データブロックよりも短い固定長のパック単位で記憶媒体に記憶するディジタル信号記憶方法であって、補助情報を各々のメインデータの後に続けて記憶することを特徴とする。
【０００７】
本発明による請求項２記載のディジタル信号記憶方法は、主情報であるメインデータをデータブロック単位で記憶媒体に記憶すると共に、前記メインデータの補助情報を前記データブロックよりも短い固定長のパック単位で記憶媒体に記憶するディジタル信号記憶方法であって、全てのメインデータの補助情報を各々のメインデータの後に続けて記憶することを特徴とする。
【０００８】
本発明による請求項３記載のディジタル信号記憶方法は、主情報であるメインデータをデータブロック単位で記憶媒体に記憶すると共に、前記メインデータの補助情報を前記データブロックよりも短い固定長のパック単位で記憶媒体に記憶するディジタル信号記憶方法であって、当該メインデータの前には、当該メインデータ以降に格納されている複数のメインデータ（当該メインデータも含む）の補助情報を記憶し、当該メインデータの後には、当該メインデータ以前に格納されている複数のメインデータ（当該メインデータも含む）の補助情報を続けて記憶することを特徴とする。
【０００９】
本発明による請求項４記載のディジタル信号記憶方法は、請求項１乃至請求項３のいずれかに記載のディジタル信号記憶方法において、メインデータの補助情報に記憶した日時情報を入れ、上書きして録画する場合に補助情報の更新を行なう際の判断に用いることを特徴とする。
【００１０】
本発明による請求項５記載のディジタル信号記憶方法は、請求項１乃至請求項３のいずれかに記載のディジタル信号記憶方法において、新規のメインデータが記憶された際に、各補助情報を更新するために、補助情報更新フラグを記憶媒体或いは補助情報記憶手段に設け、記憶媒体にテープ上の記憶媒体を用いる場合には、早送り、巻き戻し、再生或いは更新を目的とした動作等をした際に、各補助情報を更新することを特徴としたことを特徴とする。
【００１１】
本発明による請求項６記載のディジタル信号記憶装置は、回転ドラムに磁気ヘッドを取り付け、該磁気ヘッドにて磁気テープにヘリカル状に信号を記録し、また、記録された信号を再生する第１のヘリカルトラック用信号記録再生手段と、固定ヘッドにて前記磁気テープの上部、または、下部の長手方向に信号を記録し、また、記録された信号を再生する第２の固定トラック用信号記録再生手段と、を有したディジタル信号記録再生装置において、前記第１のヘリカルトラック用記録再生手段にて、少なくとも映像信号または音声信号を含む主情報の記録再生に先立って、該主情報に付随する補助情報を記録再生する補助情報処理手段と、記憶媒体の各種補助情報を一時的に本体に記憶しておくための補助情報記憶手段と、前記第２の固定トラック用記録再生手段にて、前記主情報の記録再生に先立って、前記補助情報が記録されているか否かを示す補助情報判断情報と該前記補助情報の始まりを示すインデックススタート情報を記録再生するコントロール情報処理手段と、を用いたことを特徴とする。
【００１２】
本発明による請求項７記載のディジタル信号記憶装置は、請求項６記載のディジタル信号記憶装置において、記憶媒体にテープ状の記憶媒体を用い、補助情報を記憶媒体に記憶した後に停止する際に、補助情報格納位置の先頭に巻き戻すことを特徴とする。
【００１３】
本発明による請求項８記載のディジタル信号記憶装置は、請求項６記載のディジタル信号記憶装置において、記憶媒体にテープ状の記憶媒体を用い、メインデータの頭出しを行なうための早送りや巻き戻しによる停止の際、前記メインデータの補助情報を読込んだ後に、メインデータの先頭位置で停止することを特徴とする。
【００１４】
本発明による請求項９記載のディジタル信号記憶装置は、請求項６記載のディジタル信号記憶装置において、記憶媒体にテープ状の記憶媒体を用い、記憶媒体を当該装置に挿入後、補助情報を自動的に読込んだ後、メインデータの先頭位置で停止することを特徴とする。
【００１５】
本発明による請求項１０記載のディジタル信号記憶装置は、請求項６記載のディジタル信号記憶装置において、記憶媒体にテープ状の記憶媒体を用い、記憶媒体を当該装置から取り出す際に、補助情報格納位置の先頭に巻き戻すことを特徴とする。
【００１６】
【発明の実施の形態】
本発明によるディジタル記憶方法及び記憶装置の実施形態の一例を図１乃至図５に基づいて以下に説明する。
【００１７】
図１は、本発明によるディジタル記憶方法の第１の実施形態例であり、記憶媒体への補助情報データの格納構成の一例である。記憶媒体としては、磁気テープを例に上げて説明しているが、これに限るものではない。記憶媒体へ補助情報を記憶するタイミングは、記憶媒体を巻き戻しする際、再生する際、早送りする際、または別途書き込みを目的として媒体を操作する際の何れでも良い。尚、本願発明の補助信号を「再生中」、「早送り中」、「巻き戻し中」に記録する手法は、以下のようにして行なう。
【００１８】
それぞれのモードにおいて、コントロールトラック上にインデックス信号の検出を行ないながら動作を行なう。インデックス信号を検出すると、それぞれのモードを一時停止、補助情報の書き込み動作に移る。まず、インデックス信号より、補助情報が記載されている先頭位置にテープを移動させ、図１の場合は、記載されている補助情報が本体に一時記憶してある内容より、古いものであれば、更新する。同じまたは新しいものであれば更新しない。更新処理が終わると、再度前記動作モードを続ける。この動作は、手動または自動で行なっても良い。記録に関しては従来の方法を用いて記録する。
（ａ）では、ＴＶ番組等をテープの最初から録画する際に、テープ全体の補助情報（ＴＯＣ情報）を記憶するために適当な領域を確保した後、補助情報記憶手段にプログラムＡの補助情報１（開始位置の情報、記憶開始日時の情報、録画チャネル情報及びその他の補助情報等）を記憶する。記憶するタイミングは、録画するためのテープが挿入されたとき、テープへの記憶するときのスタンバイ状態の時等、何れのタイミングで良い。
【００１９】
続いて、テープにプログラムＡの情報を格納して行く。図３では録画するためのテープを記憶装置に挿入された際に、補助情報が補助情報記憶手段に記憶される例を示す。プログラムＡの情報の格納が終了すると、補助情報記憶手段にプログラムＡの補助情報２（終了位置の情報、記憶終了日時の情報及びその他の補助情報等）を記憶する。続いてにテープに補助情報記憶手段に格納されている補助情報（プログラムＡの補助情報）を書き込んでいく。
【００２０】
書き込み終了後、前期プログラムＡの補助情報の領域を含めた領域がテープ全体の補助情報（ＴＯＣ情報）を格納するのに十分な一連の領域を確保し、次の録画待ちの状態に入る。次の予約情報が入ると、上記内容と同様に先ず、補助情報記憶手段にプログラムＡに関する補助情報に付け加えて、プログラムＢに関する補助情報１が記憶される。
【００２１】
続いて、テープにプログラムＢの情報を格納して行く。プログラムＢの情報の格納が終了すると、補助情報記憶手段にプログラムＢの補助情報２が追加される。続いてテープに補助情報記憶手段に格納されている補助情報（プログラムＡの補助情報とプログラムＢの補助情報）を書き込んでいく。書き込み終了後、前期補助情報の領域を含めた領域がテープ全体の補助情報（ＴＯＣ情報）を格納するのに十分な一連の領域を確保し、次の録画待ちの状態に入る。プログラムＡ及びプログラムＢと同様にして、プログラムＣについても補助情報を記憶する。従って、図（ａ）に示す様に、プログラムの最後には、テープの最初から書き込まれているプログラムの補助情報が書き込むようにする。
【００２２】
プログラムの補助情報が書き込まれた後、テープは、次の２通りの停止の方法がある。１つは、補助情報を書き込み後に直ぐに停止する場合と最後の補助情報の格納開始位置まで戻された状態で停止する場合である。
【００２３】
補助情報を書き込み後に直ぐに停止する場合。これは、予約が複数ある場合に便利であり、直ぐに録画できるようにするためである。また、この方法を用いる場合は、ＥＪＥＣＴ動作にテープを取り出す時に、最後の補助情報の格納開始位置まで戻した後に取り出す。
【００２４】
テープは最後の補助情報の格納開始位置まで戻された状態で停止する場合。この方法で停止する場合には、ＥＪＥＣＴ動作の際、その状態のままテープが取り出される。
【００２５】
上記の２通りの停止及びＥＪＥＣＴ方法により、一度テープを取り出し、次に再度テープを挿入したときに、記憶装置本体にて補助情報を直ぐに読込むことができる。
【００２６】
テープ挿入後、記憶装置本体では、補助情報をテープから読込み、補助情報記憶手段に記憶し、プログラムを格納する位置にてテープを停止状態にする。
【００２７】
また、補助情報を書き込み後に直ぐに停止する場合で、ＥＪＥＣＴ動作の際に何もしない場合、テープ挿入後に、最後の補助情報の格納開始位置まで戻した後、補助情報をテープから読込み、補助情報記憶手段に記憶し、プログラムを格納する位置にてテープを停止状態にする。
【００２８】
更に、新規にプログラムが格納された場合、補助情報更新フラグをセットし、補助情報に変更があることを明示する。システム側は、補助情報更新フラグがセットされた状態で、早送り、巻き戻しが行なわれた際には、各補助情報の格納領域に、補助情報記憶手段に最後に記憶されている補助情報を格納または更新して行く。尚、再生或いは補助情報の更新を目的とした動作を行なう場合に補助情報を格納または更新して行くことも考えられる。
【００２９】
補助情報更新フラグの設定場所としては、本体の補助情報記憶手段に補助情報更新フラグを設定する場合と、記憶媒体のコントロール信号に補助情報更新フラグを設定する場合と、記憶媒体の補助情報の中に補助情報更新フラグを設定する場合の三つの場合が考えられる。
【００３０】
第一に、記憶媒体に新規にプログラムが記憶された際、本体の補助情報更新フラグが領域ごとにセットされる。巻き戻しや早送り等の動作が行なわれ、これに付随する上記に示す動作にて、補助信号の書き込み及び更新が行なわれる。補助信号が書き込み及び更新が行なわれた各領域の補助情報更新フラグは、リセットされる。
【００３１】
記憶媒体が本体から取り出される際、取り出される記憶媒体のヘリカルトラックの位置が記憶されているプログラムの途中の場合、記憶媒体のコントロールトラックに補助情報更新フラグが設定される。また、記憶媒体のヘリカルトラックの位置が記憶されている補助情報の場合、補助情報の一部として、補助情報更新フラグが設定される。これらの、補助情報更新フラグの情報は、次回、記憶媒体を本体に収めたとき、本体にアップロードされ、補助情報を更新するようにユーザに促す。
【００３２】
（ｂ）にその様子を示した。各プログラムの後に書かれている情報は、プログラムＡから全ての補助情報に書き換えられる。
【００３３】
図２は、本発明によるディジタル記憶方法の第２の実施形態例であり、記憶媒体への補助情報データの格納構成の一例である。
【００３４】
録画時の補助情報の記憶媒体への記憶方法は図１の（ａ）の記憶方法と殆ど、一緒になる。
【００３５】
大きな違いは、補助情報を格納する領域が２つに別れていることである。つまり、プログラムの直ぐ後には、当該プログラムも含めた、補助情報を格納する領域より前に記憶されている全てのプログラムの補助情報が記憶される。また、プログラムの前には、当該プログラムも含めた、補助情報を格納する領域より後に記憶されている全てのプログラムの補助情報が記憶される。これらの補助情報は、連続的に格納されても良いし、間に、両者の補助情報を格納する領域を区別するためのセパレート領域を設けても良い。
【００３６】
尚、上記の図１及び図２で説明した補助情報記憶手段容量は、記憶媒体に記憶されるメインデータ数及び各種補助情報のデータ数により、個々のシステムで決定する。更に、テープ全体の補助情報（ＴＯＣ情報）を記憶するために領域としては、記憶媒体の容量に応じた領域が自動又は手動により設定される。他の補助情報を記憶する領域も同様である。
【００３７】
図３には、タイマー録画予約待受状態（ステップ１）からタイマー録画待受状態（ステップ２１）までの一連の動作を示したフローチャートの１実施例を記載した。尚、動作フローはこれに限定されるものではない。
【００３８】
デジタル記憶装置は、タイマー録画予約待受状態（ステップ１）で待機している。ユーザが、リモコンや装置本体の入力手段により、予約情報が入力すると、これを検出し（ステップ２）、一時的に本体の補助情報記憶手段へ予約情報を記憶する（ステップ３）。この状態で、テープの挿入待ちをする。テープが既に挿入されている場合は、書き込み可能なテープであるかどうか、残りの録画時間は十分にあるかどうか等のテープ情報を確認した後、テープ内に格納されている補助情報に付いて確認する。
【００３９】
先ず、テープが挿入を検出（ステップ４）した時点で、装置本体は、挿入されたテープに補助情報が有るかどうかを確認する（ステップ５）。
【００４０】
本装置により、タイマー録画を行なっているテープであれば、先頭には必ず、補助情報が格納されているはずである。補助情報が無い場合は、新しいテープ（先頭位置）か別の機器で録画したものか、本装置で録画したものではあるが何らかの理由で強制的に停止された場合の何れかと考えられる。
【００４１】
従って、補助情報がなく、先頭位置であり映像信号が無い場合は、新しいテープの先頭位置と判断し、ステップ１０でテープ全体の補助情報（ＴＯＣ情報）の領域を確保する。続いて補助情報記憶手段に各種補助情報を記憶（ステップ１１）後、タイマー録画待受状態に入る（ステップ２１）。
【００４２】
補助情報がなく、先頭位置ではあるが映像信号がある場合は、別の機器で録画したものと考えられ、上書きしても良いか確認した後（ステップ８）、良ければステップ１０へ、上書きしたくない場合はステップ９のテープＥＪＥＣＴに進む。
【００４３】
補助情報がなく、先頭位置でない場合は、別の機器で録画したものか、本装置で録画したものではあるが何らかの理由で強制的に停止された場合の何れかである。従って、上書きして良い場合は（ステップ１２）、補助情報記憶手段に各種補助情報を記憶し（ステップ１３）、続いてテープ全体の補助情報（ＴＯＣ情報）の領域を確保した（ステップ１４）後、タイマー録画待受状態に入る（ステップ２１）。
【００４４】
上書きしたくない場合は、補助情報を取得するまで早送り或いは巻戻しを行なうかを選択すし（ステップ１５）、補助情報を取得しない場合はテープをＥＪＥＣＴする（ステップ１６）。
【００４５】
補助情報を取得する場合は、補助情報格納位置へ早送りまたは巻戻しにて移動する（ステップ１７）。続いて、補助情報をテープから読み出して、本体の補助情報記憶手段に記憶する（ステップ１８）。ユーザは補助情報を確認し、上書きしても良い場所を選択し、その位置の頭出しを行なう。補助情報記憶手段へ各種補助情報を記憶する（ステップ１９）。テープをプログラム格納位置に設定し（ステップ２０）、タイマー録画待受状態に入る（ステップ２１）。
【００４６】
テープが挿入検出後（ステップ４）、挿入されたテープに補助情報が有る場合（ステップ５）、補助情報をテープから読み出して、本体の補助情報記憶手段に記憶する（ステップ１８）。ユーザは補助情報を確認し、上書きしても良い場所また未使用の部分を選択し、その位置の頭出しを行なう。補助情報記憶手段へ各種補助情報を記憶する（ステップ１９）。テープをプログラム格納位置に設定し（ステップ２０）、タイマー録画待受状態に入る（ステップ２１）。
【００４７】
以上のようにして、タイマー録画予約待受状態（ステップ１）からタイマー録画待受状態（ステップ２１）になるまでの一連の動作を行なう。
【００４８】
図４には、タイマー録画待受状態（ステップ２１）からタイマー録画が終了し、補助情報を格納し停止する（ステップ３４・４１・４８）までの動作を示したフローチャートの１実施例を記載した。尚、動作フローはこれに限定されるものではない。
【００４９】
タイマー録画待受状態に入っている（ステップ２１）機器本体は、タイマー予約された時刻がくるまで、待機状態のままである。機器本体の内部のタイマー処理部から本体のシステム制御部に開始時刻が検出され、タイマー録画の起動がかけられる（ステップ２２）。システム制御部は、固定トラック用信号記録再生手段に対してＶＩＳＳ信号を格納するように指令し、固定トラック用信号記録再生手段はコントロールトラックにコントロールヘッドによりＶＩＳＳ信号を記録する（ステップ２３）。続いてプログラム録画が開始され（ステップ２４）、映像、音声信号処理部からの信号をヘリカルトラック用信号記録再生手段を通して、ドラムにより、テープのヘリカルトラックにスパイラル記憶して行く。
【００５０】
機器本体の内部のタイマー処理部から本体のシステム制御部に停止時刻が検出され、タイマー録画停止の起動がかけられ（ステップ２５）、プログラムの録画が停止する（ステップ２６）。補助情報処理手段では、テープの停止位置、録画時間、日時等の補助情報を補助情報記憶手段に格納する（ステップ２７）。補助情報処理手段は、全ての補助情報を、補助情報記憶手段より再度読み出し、補助情報をヘリカルトラック用信号機録再生手段を通して、ドラムにより、テープのヘリカルトラックにスパイラル記憶して行く（ステップ２８）。
【００５１】
これで、一つのプログラムのタイマー録画は、終了である。タイマー予約が他にあるかどうかを確認し（ステップ２９）、ある場合はステップ２１からステップ２８の動作を繰り返す。
【００５２】
全てのタイマー予約が終了した場合、補助情報更新フラグをセットする（ステップ３０）。ここでは、補助情報更新フラグとしては、先頭から新規記憶領域まで（補助情報更新フラグ前）と、新規記憶領域以降より最終まで（補助情報更新フラグ後）の、２種類を例にとって説明する。補助情報更新フラグは、テープの全ての領域に格納されている補助情報を更新することが目的であり、テープの格納領域全体を複数のブロックに分割し、それぞれのブロック毎に補助情報更新フラグを設けても良い。
【００５３】
タイマー録画がテープの途中で完了した場合は、上記の補助情報更新フラグ（前後）をセットする。テープが終わってしまった場合は、補助情報更新フラグ前のみをセットする。
【００５４】
補助情報更新フラグ（前後）をセットした後、本体はコマンド待ち受け状態に入る（ステップ３１）。
【００５５】
ここで停止コマンドを検出した場合（ステップ３２）、補助情報格納位置の先頭に巻き戻し（ステップ３３）、システムを停止させる（ステップ３４）。
【００５６】
早送りコマンドを検出した場合（ステップ３５）、ＶＩＳＳ信号を検出するまで、テープを早送りする。ＶＩＳＳ信号を検出する（ステップ３６）と早送りの動作を停止し、補助情報の開始位置に合わせる（通常は、ＶＩＳＳ検出後、直ぐに停止できないため、開始位置まで巻き戻す動作がはいる。）。本体では、テープから補助情報を読み出して、補助情報記憶手段に格納する。
【００５７】
ここで本体が持っていた情報に更新記憶される（ステップ３７）。変更内容がある場合、再度、補助情報の開始位置に戻し、更新された内容が再びテープに記憶され（ステップ３８）、テープの最終位置かどうか確認する（ステップ３９）。この動作（ステップ３６〜ステップ３９）は、テープの最終位置に来るまで繰り返し行なわれる。最終位置にきた場合（ステップ３９）には、補助情報更新フラグ（後）をリセットし（ステップ４０）、停止する（ステップ４１）。
【００５８】
巻き戻しコマンドを検出した場合（ステップ４２）、ＶＩＳＳ信号を検出するまで、テープを巻き戻しする。ＶＩＳＳ信号を検出する（ステップ４３）と巻き戻しの動作を停止し、補助情報の開始位置に合わせる（通常は、ＶＩＳＳ検出後、直ぐに停止できないため、開始位置まで早送りする動作がはいる。）。本体では、テープから補助情報を読み出して、補助情報記憶手段に格納する。
【００５９】
ここで本体が持っていた情報に更新記憶される（ステップ４４）。変更内容がある場合、再度、補助情報の開始位置に戻し、更新された内容が再びテープに記憶され（ステップ４５）、テープの最終位置かどうか確認する（ステップ４６）。この動作（ステップ４３〜ステップ４６）は、テープの最終位置に来るまで繰り返し行なわれる。最終位置にきた場合（ステップ４６）には、補助情報更新フラグ（前）をリセットし（ステップ４７）、停止する（ステップ４８）。
【００６０】
以上のようにして、タイマー録画待受状態（ステップ２１）から機器の停止（ステップ３４・４１・４８）するまでの一連の動作を行なう。
【００６１】
図５は、本発明によるディジタル記憶装置１の実施形態例における構成の一例であり、リール２、テープ３、ドラム４、コントロールヘッド５、リール６、表示・出力部７、映像、音声信号処理部８、ヘリカルトラック用信号記憶再生手段９、タイマ処理部１０、補助情報処理手段１１、固定トラック用信号記憶再生手段１２、補助情報記憶手段１３、テープ駆動手段１４、サーボ制御部１５、システム制御部１６、コントロール情報処理手段１７から構成されている。
【００６２】
コントロール情報処理手段１７は、固定トラック用信号記憶再生手段１２によってコントロールヘッド５を経由して、テープ３のコントロールトラック１００にコントロール信号を記憶する。コントロール情報処理手段１７より指定されたコントロール信号は、固定トラック用信号記憶再生手段１２によってデューティ可変される。ここでは、コントロール信号として、プログラムの録画開始の際に、その録画開始位置を示すためのインデックス信号（以降、ＶＩＳＳ信号と記す）１０１を記憶できる。
【００６３】
また、コントロールトラック１００に記憶した、ＶＩＳＳ信号１０１を再生し、検出することもできる。リール２、リール６は、サーボ制御部１５、テープ駆動手段１４によって操作が行われ、記憶開始時の書込みタイミングの制御やテープ駆動のオン、オフ等はシステム制御部１６によって制御される。
【００６４】
補助情報１０２は、コントロール情報処理手段１７によって、コントロールトラック１００にＶＩＳＳ信号１０１が書き込まれた後に、ヘリカルトラック２００に書き込まれる。固定トラック用信号記憶再生手段１２によってＶＩＳＳ信号１０１を記憶する。
【００６５】
このとき、ヘリカルトラック用信号記憶再生手段９が磁気ヘッドを取り付けられたドラム４を経由して該磁気ヘッドにてテープ３上にヘリカル状に補助情報１０２を書き込む。書き込むデータは、補助情報処理手段１１が補助情報記憶手段１３より取得したデータで、補助情報記憶手段１３には必要なＴＯＣ情報やあるいは、ビデオインデックス用の映像信号データが収納されている。タイマ処理部１０が持つタイマ予約データ及び日時データも補助情報として補助情報処理手段１１に取り込まれ、補助情報１０２に書き込まれる。
【００６６】
補助情報１０２が記憶された後、ヘリカルトラック用信号記憶再生手段９は、通常、映像、音声信号処理部８からのプログラムデータを受け、同様に磁気ヘッドを取り付けられたドラム４を経由して該磁気ヘッドにてテープ３上にヘリカル状に記憶される。また、記憶したプログラムデータは、ドラム４に取り付けられた磁気ヘッドを経由してヘリカルトラック用信号記憶再生手段９に取り込まれ、映像、音声信号処理部８にて再生処理され、表示・出力部に再生することが可能である。
【００６７】
また、同様に、補助情報１０２に記憶するデータは、補助情報処理手段１１にて処理され、表示・出力部７を通してユーザが確認することもできる。あるいは、テープ３に既に記憶された補助情報１０２はドラム４に取り付けられた磁気ヘッドを経由してヘリカルトラック用信号記憶再生手段９に取り込み、読み出すことができ、その情報を補助情報処理手段１１、表示・出力部７に表示させることもできる。
【００６８】
補助情報処理手段１１では、補助情報１０２の更新処理、図１及び図２で示したデータの格納に関連する処理も行っている。補助情報処理手段１１では、テープの先頭にＴＯＣの容量を確保する処理も行っている。まず、１つのプログラムに関する補助情報の容量は、補助情報として記憶する項目を決定すれば容易に求めることができる。この１つのプログラムに関する補助情報の容量をＶとすれば、最大のＴＯＣの容量を求めるためには以下の条件で計算すれば良い。記憶媒体の録画時間をＨし、１番組当たりの最小録画時間をｈとすると（尚、ｈは、ｈ＝０．２５  ｏｒ  ０．５  ｏｒ  １．０  ｏｒ  １．５等選択可能）、
ＴＯＣの容量＝Ｈ／ｈ＊Ｖ
となる。
【００６９】
この値のデータを格納できるヘリカルトラックの容量を先頭のＴＯＣの容量として確保する。また、プログラム間の補助情報１０２の領域も基本的にはこの値と同じ物を用いても良い。
【００７０】
補助情報記憶手段１３は、テープから補助情報を読み出したものを一時的に記憶したり、新規記憶したプログラムの補助情報を記憶したりする部分である。補助情報フラグを管理するのもこの部分である。
【００７１】
コントロール情報処理手段１７はコントロール信号を書き込みや検出に関する処理を行っている。説明ではコントロール信号としてＶＩＳＳ信号のみの説明をしたが、このＶＩＳＳ信号に補助情報の記憶領域があるかないかの補助情報判断情報を含めて記憶しても良い。
【００７２】
補助情報判断情報を含めることにより、補助情報の格納位置とプログラムデータの格納位置を区別することも可能となる。
【００７３】
【発明の効果】
上記にて説明された本発明により以下の効果がもたらされる。
【００７４】
本願請求項１及至請求項３に記載の発明に係るディジタル信号記憶方法は、上述したような構成としているので、比較的大きな補助情報を、各記憶媒体毎で管理することができるため、ユーザが記憶媒体の識別情報を管理する必要がなくなり、非常に使い勝手がよくなる。
【００７５】
本願請求項４に記載の発明に係るディジタル信号記憶方法は、補助情報の日時情報を比較することで、補助情報を更新操作をする際に、常に新しい情報で更新できるようになる。
【００７６】
本願請求項５に記載の発明に係るディジタル信号記憶方法は、早送り、巻き戻し等を行なう際に、補助情報を記憶するようにしたため、新規メインデータを記憶する毎に、全体の補助情報を更新する必要がなくなり、大幅に時間の節約ができる。
【００７７】
本願請求項６に記載の発明に係るディジタル信号記憶装置は、比較的大きな補助情報を記憶する多数の記憶媒体を同時に管理する場合でも、予め、大きな容量のメモリを搭載することが無く、各記憶媒体毎に管理が可能となる。
【００７８】
本願請求項７及至請求項１０に記載の発明に係るディジタル信号記憶装置は、補助情報を当該装置の、補助情報記憶手段に取り込み作業が、ユーザを煩わせることなく、スムースに行なうことができる。
【図面の簡単な説明】
【図１】本発明によるデジタル信号記憶方法の（ａ）録画時の補助情報の記憶媒体への記憶及び（ｂ）巻き戻し時の補助情報の記憶媒体への記憶示す構成図で、記憶媒体に記憶されている全ての補助情報を各プログラムデータの後に記憶する場合の一例を示したものである。
【図２】本発明によるデジタル信号記憶方法の（ａ）録画時の補助情報の記憶媒体への記憶及び（ｂ）巻き戻し時の補助情報の記憶媒体への記憶示す構成図で、記憶媒体に記憶されている全ての補助情報を各プログラムデータの前後に分割して記憶する場合の一例を示したものである。
【図３】本発明によるデジタル信号記憶方法の、タイマー録画予約待受状態からタイマー録画待受状態までの一連の動作を示したフローチャートの１実施例を示したものである。
【図４】本発明によるデジタル信号記憶方法の、タイマー録画待受状態からタイマー録画が終了し、補助情報を格納し停止するまでの動作を示したフローチャートの１実施例を示したものである。
【図５】本発明によるデジタル信号記憶装置の１実施形態例を示したものである。
【符号の説明】
１００  コントロールトラック
１０１  インデックス信号（ＶＩＳＳ信号）
１０２  補助情報
２００  ヘリカルトラック
１  ディジタル記憶装置
２  リール
３  テープ
４  ドラム
５  コントロールヘッド
６  リール
７  表示・出力部
８  映像、音声信号処理部
９  ヘリカルトラック用信号記録再生手段
１０  タイマ処理部
１１  補助情報処理手段
１２  固定トラック用信号記録再生手段
１３  補助情報記憶手段
１４  テープ駆動手段
１５  サーボ制御部
１６  システム制御部
１７  コントロール情報処理手段
【図１】
0004076653.tif 000002
【図２】
0004076653.tif 000003
【図３】
0004076653.tif 000004
【図４】
0004076653.tif 000005
【図５】
0004076653.tif 000006